(57)【要約】【課題】給水管内に付着したスケールを確実に除去でき、更には、給水管内の水圧が高い場合や商用電源がとれない場合等の現場状況にも応じることができる給水管の内部洗浄装置を提供する。【解決手段】給水管１０の給水栓１１に取付金具２１によって着脱される二又管２２と、該二又管２２の一方の接続口２２ａに接続された排出バルブ２３と、同二又管２２の他方の二又管２２ｂに逆止弁２４を介して接続された圧縮ガス供給装置３０とを備え、該圧縮ガス供給装置３０は、コンプレッサー３２と、圧縮空気貯溜タンク３３と、圧力調整弁３４と、前記逆止弁２４に接続される電磁弁３１とを順次に配管接続するとともに、前記電磁弁３１を設定された制御パターンで開閉させる電磁弁開閉制御手段を備える。【選択図】図１
0003117530.tif 000002
【実用新案登録請求の範囲】
【請求項１】
給水管の給水栓に取付金具によって着脱される二又管と、該二又管の一方の接続口に接続された排出バルブと、同二又管の他方の接続口に逆止弁を介して接続された圧縮ガス供給装置とを備え、
該圧縮ガス供給装置は、コンプレッサーと、圧縮空気貯溜タンクと、圧力調整弁と、前記逆支弁に接続される電磁弁とを順次に配管接続するとともに、前記電磁弁を設定された制御パターンで開閉させる電磁弁開閉制御手段を備え、
該電磁弁開閉制御手段は、開放時間と閉止時間とからなるサイクルで電磁弁の繰返し開閉動作を行う第一制御手段と、前記繰返し開閉動作が継続される繰返し時間と電磁弁が所定時間休止される休止時間とからなるサイクルを繰返す第二制御手段と、該第二制御手段による繰返し動作を所定時間継続した後に前記電磁弁を閉止する第三制御手段とからなることを特徴とする給水管の内部洗浄装置。
【請求項２】
上記圧縮ガス供給装置は、上記圧縮空気貯溜タンクの吸入側配管に、上記コンプレッサーを着脱可能に配管接続するコンプレッサー接続部３７と、圧縮空気ボンベを着脱可能に配管接続するボンベ着脱部とを備え、上記コンプレッサーと圧縮空気ボンベとが選択的に用いられるようにしたことを特徴とする請求項１記載の給水管の内部洗浄装置。
【請求項３】
上記圧縮ガス供給装置は、その電力源としてバッテリーを備えていることを特徴とする請求項１又は２記載の給水管の内部洗浄装置。
【考案の詳細な説明】
【技術分野】
【０００１】
本考案は、本考案は、給水管内に付着するスケール等を除去洗浄するために利用される給水管の内部洗浄装置に関するものである。
【背景技術】
【０００２】
従来、この種の給水管の内部洗浄装置としては、本願出願人が先に出願した下記の特許文献に開示されている装置が知られている。
この装置は、電磁弁の開閉により給水管内に断続的にエアーを噴出し、その噴出されるエアーの衝撃波によって配管内のスケールを効率よく除去するものである。
【特許文献１】特公平２−３７２３６号公報
【考案の開示】
【考案が解決しようとする課題】
【０００３】
しかしながら、上記従来の装置では、配管内のスケールの堆積が多くそのスケールが頑強に固着されている場合等、配管内の汚れ具合によっては、電磁弁を複数回開閉させる一回の作業により配管内面のスケールを除去しきれない場合があった。
また、一般的なエアーコンプレッサーの吐出圧力は約７８５ｋＰａ（約８ｋｇｆ／ｃｍ２）程度であるが、ビル等の給水管内の水圧は前記吐出圧力と同程度かそれ以上のこともあるため、上記従来の装置では対応できない場合があった。
更に、現場によっては、給水管の蛇口近くに電源コンセントがない場合があり、そうした場合にも上記従来の装置では対応が困難であった。
【０００４】
本考案は上記従来事情に鑑みてなされたものであり、その目的とする処は、給水管内に付着したスケールを確実に除去でき、更には、給水管内の水圧が高い場合や商用電源がとれない場合等の現場状況にも応じることができる給水管の内部洗浄装置を提供することにある。
【課題を解決するための手段】
【０００５】
上記課題を解決するための本考案の技術的手段は、給水管の給水栓に取付金具によって着脱される二又管と、該二又管の一方の接続口に接続された排出バルブと、同二又管の他方の接続口に逆止弁を介して接続された圧縮ガス供給装置とを備え、該圧縮ガス供給装置は、コンプレッサーと、圧縮空気貯溜タンクと、圧力調整弁と、前記逆支弁に接続される電磁弁とを順次に配管接続するとともに、前記電磁弁を設定された制御パターンで開閉させる電磁弁開閉制御手段を備え、該電磁弁開閉制御手段は、開放時間と閉止時間とからなるサイクルで電磁弁の繰返し開閉動作を行う第一制御手段と、前記繰返し開閉動作が継続される繰返し時間と電磁弁が所定時間休止される休止時間とからなるサイクルを繰返す第二制御手段と、該第二制御手段による繰返し動作を所定時間継続した後に前記電磁弁を閉止する第三制御手段とからなることを特徴とする。
【０００６】
上記技術手段によれば、給水管内に付着したスケールを、断続的に噴出されるエアーの衝撃波によって除去することができる。つまり、給水管内にエアーが断続的に噴出されると、その噴出されたエアーが微粒子の気泡となり超音波を発生する。したがって、その超音波によって給水管内に付着していたスケールが分解され除去されることになる。
しかも、電磁弁開閉制御手段によって、所定時間のエアーの断続的な噴射が、休止時間を挟んで複数回繰返されることになるため、一回の断続噴射で除去しきれない給水管内のスケールが複数回の断続噴射で確実に除去される。
【０００７】
すなわち、本願考案は、給水管内への圧縮空気の断続噴射を継続している時間とその断続噴射を休止する時間とからなるサイクルを繰返すことによって、断続噴射により衝撃を受けた配管内面のスケールが、前記休止時間中に自然に軟化剥離し、再度断続噴射された際に除去されることを、本願考案者による試行錯誤の実験の結果、知見して完成させたものである。
【０００８】
更に、第二の考案では、上記圧縮ガス供給装置は、上記圧縮空気貯溜タンクの吸入側配管に、上記コンプレッサーを着脱可能に配管接続するコンプレッサー接続部３７と、圧縮空気ボンベを着脱可能に配管接続するボンベ着脱部とを備え、上記コンプレッサーと圧縮空気ボンベとが選択的に用いられるようにしたことを特徴とする。
ここで、上記コンプレッサーと圧縮空気ボンベとが選択的に用いられるようにしたとは、具体的には、コンプレッサー接続部にコンプレッサーを接続してそのコンプレッサーを空気供給源とした構成と、ボンベ着脱部に圧縮空気ボンベを接続してその圧縮空気ボンベを空気供給源とした構成とが選択される。
【０００９】
また、第三の考案では、上記圧縮ガス供給装置は、その電力源としてバッテリーを備えていることを特徴とする。
【考案の効果】
【００１０】
本考案は、以上説明したように構成されているので、以下に記載されるような効果を奏する。
第一の考案によれば、一回の断続噴射で除去しきれない給水管内のスケールを、休止時間を挟む複数回の断続噴射によって確実に除去することができる。また、その複数回の断続噴射が作業者による定時間毎のスイッチ操作を要することなく自動的に行われるため、作業者の負担も少ない。
更に、第二の考案によれば、コンプレッサー接続部及びボンベ着脱部を備えているため、圧縮空気の供給源としてコンプレッサーと圧縮空気ボンベとを選択的に用いることができ、例えば、給水管内の水圧がコンプレッサーの圧力よりも高い場合には、コンプレッサーの吐出圧と比較して吐出圧力の高い圧縮空気ボンベから給水管内へエアーを噴出することができる。
更に、第三の考案によれば、圧縮ガス供給装置がバッテリーを備えているため、そのバッテリー電源によって電磁弁やコンプレッサーへ電力供給することができる。したがって、商用電源を用いることができない現場状況であっても、問題なく給水管の内部洗浄作業を行うことができる。
【考案を実施するための最良の形態】
【００１１】
以下、本考案の実施の形態を図面に基づいて説明する。
図１は、本考案に係わる給水管の内部洗浄装置の一例を示す。
この内部洗浄装置Ａは、給水管１０の給水栓１１に取付金具２１によって着脱自在な二又管２２と、該二又管２２の一方の接続口２２ａに接続された排出バルブ２３と、同二又管２２の他方の接続口２２ｂに逆止弁２４を介して接続された圧縮ガス供給装置３０とを備え、圧縮ガス供給装置３０から給水管１０内へ圧縮空気を断続的に噴出することで、給水管１０内に付着したスケールを除去する。
【００１２】
取付金具２１は、二又管２２と連通するように配管接続されており、掛金によって給水栓１１に着脱可能に取付けられる。この取付金具２１は、Ｏリング等の気密保持部材を介することで、圧縮ガス供給装置３０から噴出される圧縮空気が洩れることのないように給水栓１１の給水口に接続される。
【００１３】
排出バルブ２３は、手動開閉バルブであり、二又管２２の一方の接続口２２ａに接続され、汚水を排出するのに用いられる。
また、逆止弁２４は、二又管２２の他方の接続口２２ｂに接続され、給水管１０内の保有水が圧縮ガス供給装置３０へ流入するのを防止する。そして、この逆止弁２４には、後述する圧縮ガス供給装置３０の電磁弁３１が配管接続される。
【００１４】
圧縮ガス供給装置３０は、コンプレッサー３２と、圧縮空気貯溜タンク３３と、圧力調整弁３４と、前記逆支弁２４に接続される電磁弁３１とを順次に配管接続するとともに、前記電磁弁３１を設定された制御パターンで開閉させるコントロールボックス３５を備えている。
【００１５】
コンプレッサー３２は、圧縮空気を圧縮空気貯溜タンク３３へ供給する一般的なオイルフリーコンプレッサーであり、コントロールボックス３５内の制御回路によってＯＮ／ＯＦＦ制御されている。
【００１６】
圧縮空気貯溜タンク３３は、コンプレッサー３２から吸入側配管３３ａを介して供給される圧縮空気を一時的に貯溜し、その貯溜された圧縮空気を、吐出側配管３３ｂへ吐出している。
【００１７】
前記吸入側配管３３ａは、二つの管路３３ａ１，３３ａ２が合流して圧縮空気貯溜タンク３３に流入するように配管接続されている。
そして、一方の管路３３ａ１は、手動バルブからなるコンプレッサー接続部３７を介してコンプレッサー３２と圧縮空気貯溜タンク３３を連通しており、コンプレッサー接続部３７とコンプレッサー３２とは着脱可能に接続されている。
また、他方の管路３３ａ２は、その吸入側端部に、手動バルブからなるボンベ着脱部３６を接続している。このボンベ着脱部３６には、必要に応じて、圧縮空気ボンベ４０が着脱される。
【００１８】
すなわち、給水管１０内の水圧がコンプレッサー３２の吐出圧よりも高かった場合等、現場状況に応じては、ボンベ着脱部３６に圧縮空気ボンベ４０が配管接続されるとともに、コンプレッサー接続部３７の手動バルブが閉じられボンベ着脱部３６の手動バルブが開放されることで、圧縮空気ボンベ４０内の圧縮空気が圧縮空気貯溜タンク３３内へ送入される。尚、圧縮空気ボンベ４０内の圧縮空気の最大圧力は、約１４７００ｋＰａ（約１５０ｋｇｆ／ｃｍ２）であり、適宜減圧して用いられる。
【００１９】
圧力調整弁３４は、圧縮空気貯溜タンク３３内から吐出される圧縮空気を適当な圧力に調整するものであり、その吐出側に圧力計３４ａを配管接続することで、調整された圧力を目視確認できるようにしてある。
【００２０】
電磁弁３１は、ソレノイドへの通電によって流路を開閉する周知構成の電磁弁であり、その開閉動作がコントロールボックス３５から前記ソレノイドへ供給される電力によって制御されている。
【００２１】
コントロールボックス３５は、タイマーを用いたリレー回路、またはタイマー機能を有するシーケンサーによって、電磁弁開閉制御手段、及びコンプレッサー３２をＯＮ／ＯＦＦ制御する手段等を回路構成したものであり、前記電磁弁開閉制御手段は、第一制御手段、及び、第二制御手段、第三制御手段とからなる。
【００２２】
次に、電磁弁開閉制御手段を構成する第一制御手段、及び、第二制御手段、第三制御手段の各制御動作について、図２に示すタイムチャートに基づいて詳細に説明する。
第一制御手段は、開放時間Ｔａ１と閉止時間Ｔａ２とからなるサイクルを繰り返して電磁弁３１が開閉されるようにした回路であり、開放時間Ｔａ１と閉止時間Ｔａ２の各々を任意に設定可能にしている。
【００２３】
第二制御手段は、前記繰返し開閉動作（開放時間Ｔａ１と閉止時間Ｔａ２からなるサイクル）が継続される繰返し時間Ｔｂ１と、電磁弁３１の動作が所定時間閉止した状態で休止される休止時間Ｔｂ２とからなるサイクルを繰返すようにした回路であり、繰返し時間Ｔｂ１と休止時間Ｔｂ２の各々を任意に設定可能にしている。
【００２４】
第三制御手段は、前記第二制御手段による繰返し動作（繰返し時間Ｔｂ１と休止時間Ｔｂ２とからなるサイクル）を所定の作業時間Ｔｃだけ繰返した後に電磁弁３１を閉止する回路であり、前記作業時間Ｔｃを任意に設定可能にしている。
【００２５】
したがって、上記構成の電磁弁開閉制御手段３５によれば、電磁弁３１は、図２の最下段のタイムチャートに示すように、開放時間Ｔａ１と閉止時間Ｔａ２とによる開閉動作を、繰返し時間Ｔｂ１の間継続した後に、休止時間Ｔｂ２閉止され、更に、その繰返し時間Ｔｂ１と休止時間Ｔｂ２とからなるサイクルを、作業時間Ｔｃの間だけ継続して、閉止されることになる。
【００２６】
尚、上記開放時間Ｔａ１，及び、閉止時間Ｔａ２，繰返し時間Ｔｂ１，閉止時間Ｔａ２，作業時間Ｔｃの各々は、給水管１０の汚れ具合や管径等に応じて適宜設定される。
【００２７】
また、コンプレッサー３２の制御については、コンプレッサー３２を上記第二制御手段による開放時間Ｔａ１の間だけＯＮにするように制御してもよいし、あるいは、圧縮空気貯溜タンク３３に圧力センサー（図示せず）設け、該圧力センサーによって検知される圧縮空気貯溜タンク３３内の圧力が一定になるようにコンプレッサー３２をＯＮ／ＯＦＦ制御してもよい。
【００２８】
次に、本考案に係わる給水管の内部洗浄装置の他例を図３に基づいて説明する。
この内部洗浄装置Ｂは、上述した内部洗浄装置Ａに対し、圧縮空気の供給源を、上記コンプレッサー３２から圧縮空気ボンベ４０に代えるとともに、電磁弁３１及びコントロールボックス３５の電源をバッテリー５０としたものであり、上記内部洗浄装置Ａと同様の構成部位については、同一符号を付けることで重複説明を省略する。
【００２９】
圧縮空気ボンベ４０は、手動バルブからなるボンベ着脱部３６に接続され、圧縮空気を圧縮空気貯溜タンク３３へ供給している。
【００３０】
バッテリー５０は、コントロールボックス３５を介して直流電力を電磁弁３１へ供給している。
この内部洗浄装置Ｂにおける電磁弁開閉制御手段３５内の回路、及び電磁弁３１のソレノイドは、直流電源用に構成されている。
【００３１】
尚、この内部洗浄装置Ｂは、上記圧縮空気ボンベ４０に代えて、コンプレッサー接続部３７に直流駆動タイプのコンプレッサーを接続し、その電源供給をバッテリー５０で行うようにすることも可能である。
【図面の簡単な説明】
【００３２】
【図１】本考案に係わる給水管の内部洗浄装置の一例を示す配管系統図。
【図２】電磁弁開閉制御手段の動作を示すタイムチャートである。
【図３】本考案に係わる給水管の内部洗浄装置の他例を示す配管系統図。
【符号の説明】
【００３３】
１０：給水管
１１：給水栓
２１：取付金具
２２：二又管
２３：排出バルブ
２４：逆止弁
３０：圧縮ガス供給装置
３２：コンプレッサー
３３：圧縮空気貯溜タンク
３４：圧力調整弁
３１：電磁弁
３５：コントロールボックス
４０：圧縮空気ボンベ
５０：バッテリー
Ａ，Ｂ：内部洗浄装置
【図１】
0003117530.tif 000003
【図２】
0003117530.tif 000004
【図３】
0003117530.tif 000005